【手続補正書】
【提出日】平成27年4月14日(2015.4.14)
【手続補正１】
【補正対象書類名】特許請求の範囲
【補正対象項目名】全文
【補正方法】変更
【補正の内容】
【特許請求の範囲】
【請求項１】
パーソナルオーディオデバイスであって、該パーソナルオーディオデバイスは、
パーソナルオーディオデバイス筐体と、
オーディオ信号を再生するために該筐体に設置されているトランスデューサであって、該オーディオ信号は、リスナへの再生のためのソースオーディオと、該トランスデューサの音響出力における周囲のオーディオサウンドの影響を打ち消すためのアンチノイズ信号との両方を含む、トランスデューサと、
該周囲のオーディオサウンドを示す基準マイクロフォン信号を提供するために該筐体に設置されている基準マイクロフォンと、
該トランスデューサの音響出力を示すエラーマイクロフォン信号を提供するために該トランスデューサの近くにおいて該筐体に設置されているエラーマイクロフォンと、
応答を有する第１の適合的フィルタを実装する処理回路であって、該応答は、該リスナによって聞き取られる該周囲のオーディオサウンドの存在を低減するための該アンチノイズ信号を成形する、処理回路と
を備え、該第１の適合的フィルタは、該基準マイクロフォン信号をフィルタリングすることにより、該アンチノイズ信号を生成し、該処理回路は、該ソースオーディオを成形する二次経路応答を有する二次経路適合的フィルタと、コンバイナとを実装し、該コンバイナは、該リスナに送達される組み合わされたアンチノイズ信号と周囲のオーディオサウンドとを示すエラー信号を提供するために、該エラーマイクロフォン信号から該成形されたソースオーディオを除去し、該処理回路は、該エラー信号を最小化するように該第１の適合的フィルタの応答を適合させ、該処理回路は、該トランスデューサと該リスナの耳との間の結合の程度を決定し、該二次経路応答から計算される耳圧指示の値を所定の閾値と比較することによって該結合の程度の変化を検出し、該処理回路は、該耳圧指示の値が該所定の閾値を超えることに応答して、該第１の適合的フィルタの応答を変更する、パーソナルオーディオデバイス。
【請求項２】
前記処理回路は、前記結合の程度が高いほうの閾値を上回ることを決定することに応答して、前記第１の適合的フィルタの応答を所定の応答に強制的に移すことによって、該第１の適合的フィルタの応答を変更する、請求項１に記載のパーソナルオーディオデバイス。
【請求項３】
前記所定の応答は、前記結合の程度が高いほうの閾値を上回る場合、前記リスナによって聞き取られる前記周囲のオーディオサウンドの存在をキャンセルするように調整されている応答である、請求項２に記載のパーソナルオーディオデバイス。
【請求項４】
前記第１の適合的フィルタの応答の適合的制御は、調節可能な変化率で該第１の適合的フィルタの応答を前記所定の応答に戻すリーク（ｌｅａｋａｇｅ）特性を有し、前記処理回路は、前記結合の程度が前記高いほうの閾値を上回ることを決定することに応答して、該調節可能な変化率を増大させる、請求項２に記載のパーソナルオーディオデバイス。
【請求項５】
前記処理回路は、前記結合の程度が低いほうの閾値を下回ることを決定することに応答して、前記アンチノイズ信号をミュートする、請求項１に記載のパーソナルオーディオデバイス。
【請求項６】
前記処理回路は、前記結合の程度が前記低いほうの閾値を下回ることを決定することに応答して、前記第１の適合的フィルタの応答の適合を停止する、請求項５に記載のパーソナルオーディオデバイス。
【請求項７】
前記処理回路は、前記リスナの耳および前記トランスデューサが、前記結合の程度が高いほうの閾値を上回ることを決定することを決定することに応答して、前記第１の適合的フィルタの応答を所定の応答に強制的に移すことによって、該第１の適合的フィルタの応答を変更する、請求項５に記載のパーソナルオーディオデバイス。
【請求項８】
前記第１の適合的フィルタの応答の適合的制御は、調節可能な変化率で該第１の適合的フィルタの応答を前記所定の応答に戻すリーク特性を有し、前記処理回路は、前記結合の程度が前記高いほうの閾値を上回ることを決定することに応答して、該調節可能な変化率を増大させる、請求項７に記載のパーソナルオーディオデバイス。
【請求項９】
前記処理回路は、前記二次経路適合的フィルタの前記二次経路応答のピーク値の逆数によって重みが加えられた前記エラー信号の大きさから前記トランスデューサと前記リスナの耳との間の前記結合の程度を決定し、該二次経路適合的フィルタの該二次経路応答の該ピーク値の逆数によって重みが加えられた該エラー信号の大きさの減少は、該トランスデューサと該リスナの耳との間の結合のより大きな程度を指示する、請求項１に記載のパーソナルオーディオデバイス。
【請求項１０】
前記処理回路は、前記二次経路適合的フィルタの前記二次経路応答のピーク値の指示を閾値と比較することによって、前記トランスデューサと前記リスナの耳との間の前記結合の程度の変化を決定し、該二次経路適合的フィルタの該二次経路応答の該ピーク値の増大は、該トランスデューサと該リスナの耳との間の結合のより大きな程度を指示する、請求項１に記載のパーソナルオーディオデバイス。
【請求項１１】
パーソナルオーディオデバイスのトランスデューサの近くにおける周囲のオーディオサウンドをキャンセルする方法であって、該方法は、
基準マイクロフォンを用いて周囲のオーディオサウンドの第１の測定を行うことと、
エラーマイクロフォンを用いて該トランスデューサの出力の第２の測定を行うことと、
該基準マイクロフォンの出力をフィルタリングする第１の適合的フィルタの応答を適合させることにより、該トランスデューサの音響出力における該周囲のオーディオサウンドの影響を打ち消すために、該第１の測定の結果からアンチノイズ信号を適合的に生成することと、
該基準マイクロフォン信号をフィルタリングすることにより、該アンチノイズ信号を生成することと、
二次経路応答を用いてソースオーディオを成形することと、
リスナに送達される組み合わされたアンチノイズ信号と周囲のオーディオサウンドとを示すエラー信号を提供するために、該エラーマイクロフォン信号から該成形されたソースオーディオを除去することと、
該エラー信号を最小化するように該第１の適合的フィルタの応答を適合させることと、
該アンチノイズ信号をソースオーディオ信号と組み合わせることにより、該トランスデューサに提供されるオーディオ信号を生成することと、
該トランスデューサと該リスナの耳との間の結合の程度を決定することと、
該二次経路応答から計算される耳圧指示の値を所定の閾値と比較することによって該結合の程度の変化を検出することと、
該耳圧指示の値が該所定の閾値を超えることに応答して、該第１の適合的フィルタの応答を変更することと
を含む、方法。
【請求項１２】
前記変更することは、前記結合の程度が高いほうの閾値を上回ることを決定することに応答して、前記第１の適合的フィルタの応答を所定の応答に強制的に移すことによって、前記第１の適合的フィルタの応答を変更する、請求項１１に記載の方法。
【請求項１３】
前記所定の応答は、前記結合の程度が高いほうの閾値を上回ることを決定することに応答して、前記リスナによって聞き取られる前記周囲のオーディオサウンドの存在をキャンセルするように調整されている応答である、請求項１２に記載の方法。
【請求項１４】
前記第１の適合的フィルタの応答の適合的制御は、調節可能な変化率で該第１の適合的フィルタの応答を所定の応答に戻すリーク特性を有し、前記変更することは、前記結合の程度が低いほうの閾値を下回ることを決定することに応答して、該調節可能な変化率を増大させる、請求項１２に記載の方法。
【請求項１５】
前記結合の程度が低いほうの閾値を下回ることを決定することに応答して、前記アンチノイズ信号をミュートすることをさらに含む、請求項１１に記載の方法。
【請求項１６】
前記変更することは、前記結合の程度が前記低いほうの閾値を下回ることを決定することに応答して、前記第１の適合的フィルタの応答の適合を停止する、請求項１５に記載の方法。
【請求項１７】
前記変更することは、前記結合の程度が高いほうの閾値を上回ることを決定することに応答して、前記第１の適合的フィルタの応答を所定の応答に強制的に移すことによって、該第１の適合的フィルタの応答を変更する、請求項１５に記載の方法。
【請求項１８】
前記第１の適合的フィルタの応答の適合的制御は、調節可能な変化率で該第１の適合的フィルタの応答を所定の応答に戻すリーク特性を有し、前記変更することは、前記結合の程度が前記低いほうの閾値を下回ることを決定することに応答して、該調節可能な変化率を増大させる、請求項１７に記載の方法。
【請求項１９】
前記決定することは、前記二次経路適合的フィルタの前記二次経路応答のピーク値の逆数によって重みが加えられた前記エラー信号の大きさから前記トランスデューサと前記リスナの耳との間の前記結合の程度を決定し、該二次経路適合的フィルタの該二次経路応答の該ピーク値の逆数によって重みが加えられた該エラー信号の大きさの減少は、該トランスデューサと該リスナの耳との間の結合のより大きな程度を指示する、請求項１１に記載の方法。
【請求項２０】
前記決定することは、前記二次経路適合的フィルタの前記二次経路応答のピーク値の指示から前記トランスデューサと前記リスナの耳との間の前記結合の程度の変化を決定し、該二次経路適合的フィルタの該二次経路応答の該ピーク値の増大は、該トランスデューサと該リスナの耳との間の結合のより大きな程度を指示する、請求項１１に記載の方法。
【請求項２１】
パーソナルオーディオデバイスの少なくとも一部分を実装するための集積回路であって、該集積回路は、
リスナへの再生のためのソースオーディオと、トランスデューサの音響出力における周囲のオーディオサウンドの影響を打ち消すためのアンチノイズ信号との両方を含む信号を該トランスデューサに提供するための出力部と、
該周囲のオーディオサウンドを示す基準マイクロフォン信号を受信するための基準マイクロフォン入力部と、
該トランスデューサの出力を示すエラーマイクロフォン信号を受信するためのエラーマイクロフォン入力部と、
応答を有する第１の適合的フィルタを実装する処理回路であって、該応答は、該リスナによって聞き取られる該周囲のオーディオサウンドの存在を低減するために該アンチノイズ信号を成形する、処理回路と
を備え、該第１の適合的フィルタは、該基準マイクロフォン信号をフィルタリングすることにより、該アンチノイズ信号を生成し、該処理回路は、該ソースオーディオを成形する二次経路応答を有する二次経路適合的フィルタと、コンバイナとを実装し、該コンバイナは、該リスナに送達される組み合わされたアンチノイズ信号と周囲のオーディオサウンドとを示すエラー信号を提供するために、該エラーマイクロフォン信号から該成形されたソースオーディオを除去し、該処理回路は、該エラー信号を最小化するように該第１の適合的フィルタの応答を適合させ、該処理回路は、該トランスデューサと該リスナの耳との間の結合の程度を決定し、該二次経路応答から計算される耳圧指示の値を所定の閾値と比較することによって該結合の程度の変化を検出し、該処理回路は、該耳圧指示の値が該所定の閾値を超えることに応答して、該第１の適合的フィルタの応答を変更する、集積回路。
【請求項２２】
前記処理回路は、前記結合の程度が高いほうの閾値を上回ることを決定することに応答して、前記第１の適合的フィルタの応答を所定の応答に強制的に移すことによって、該第１の適合的フィルタの応答を変更する、請求項２１に記載の集積回路。
【請求項２３】
前記所定の応答は、前記結合の程度が前記高いほうの閾値を上回ることを決定することに応答して、前記リスナによって聞き取られる前記周囲のオーディオサウンドの存在をキャンセルするように調整されている応答である、請求項２２に記載の集積回路。
【請求項２４】
前記第１の適合的フィルタの応答の適合的制御は、調節可能な変化率で該第１の適合的フィルタの応答を所定の応答に戻すリーク特性を有し、前記処理回路は、前記結合の程度が前記高いほうの閾値を上回ることを決定することに応答して、該調節可能な変化率を増大させる、請求項２２に記載の集積回路。
【請求項２５】
前記処理回路は、前記結合の程度が低いほうの閾値を下回るときを決定することに応答して、前記アンチノイズ信号をミュートする、請求項２４に記載の集積回路。
【請求項２６】
前記処理回路は、前記結合の程度が前記低いほうの閾値を下回ることを決定することに応答して、前記第１の適合的フィルタの応答の適合を停止する、請求項２５に記載の集積回路。
【請求項２７】
前記処理回路は、前記結合の程度が高いほうの閾値を上回ることを決定することに応答して、前記第１の適合的フィルタの応答を所定の応答に強制的に移すことによって、該第１の適合的フィルタの応答を変更する、請求項２５に記載の集積回路。
【請求項２８】
前記第１の適合的フィルタの応答の適合的制御は、調節可能な変化率で該第１の適合的フィルタの応答を前記所定の応答に戻すリーク特性を有し、前記処理回路は、前記結合の程度が前記高いほうの閾値を上回ることを決定することに応答して、該調節可能な変化率を増大させる、請求項２７に記載の集積回路。
【請求項２９】
前記処理回路は、前記二次経路適合的フィルタの前記二次経路応答のピーク値の逆数によって重みが加えられた前記エラー信号の大きさから前記トランスデューサと前記リスナの耳との間の前記結合の程度を決定し、該二次経路適合的フィルタの該二次経路応答の該ピーク値の逆数によって重みが加えられた該エラー信号の大きさの減少は、該トランスデューサと該リスナの耳との間の結合のより大きな程度を指示する、請求項２１に記載の集積回路。
【請求項３０】
前記処理回路は、前記二次経路適合的フィルタの前記二次経路応答のピーク値の指示を閾値と比較することによって、前記トランスデューサと前記リスナの耳との間の前記結合の程度の変化を決定し、該二次経路適合的フィルタの該二次経路応答の該ピーク値の増大は、該トランスデューサと該リスナの耳との間の結合のより大きな程度を指示する、請求項２１に記載の集積回路。
【手続補正２】
【補正対象書類名】明細書
【補正対象項目名】０００７
【補正方法】変更
【補正の内容】
【０００７】
添付の図面に例示されているとおり、本発明の前述の目的、特徴、および利点、ならびに、他の目的、特徴、および利点は、本発明の好ましい実施形態の以下のより詳細な説明から明らかとなる。
本願明細書は、例えば、以下の項目も提供する。
（項目１）
パーソナルオーディオデバイスであって、該パーソナルオーディオデバイスは、
パーソナルオーディオデバイス筐体と、
オーディオ信号を再生するために該筐体に設置されているトランスデューサであって、該オーディオ信号は、リスナへの再生のためのソースオーディオと、該トランスデューサの音響出力における周囲のオーディオサウンドの影響を打ち消すためのアンチノイズ信号との両方を含む、トランスデューサと、
該周囲のオーディオサウンドを示す基準マイクロフォン信号を提供するために該筐体に設置されている基準マイクロフォンと、
該トランスデューサの音響出力を示すエラーマイクロフォン信号を提供するために該トランスデューサの近くにおいて該筐体に設置されているエラーマイクロフォンと、
応答を有する適合的フィルタを実装する処理回路であって、該応答は、該リスナによって聞き取られる周囲のオーディオサウンドの存在を低減するためのアンチノイズ信号を成形する、処理回路と
を備え、該処理回路は、該トランスデューサと該リスナの耳との間の結合の程度を決定し、該トランスデューサと該リスナの耳との間の該結合の程度に従って該適合的フィルタの応答を変更する、パーソナルオーディオデバイス。
（項目２）
前記処理回路は、前記結合の程度が高いほうの閾値を上回ることを決定することに応答して、前記適合的フィルタの応答を所定の応答に強制的に移すことによって、該適合的フィルタの応答を変更する、項目１に記載のパーソナルオーディオデバイス。
（項目３）
前記所定の応答は、前記結合の程度が高いほうの閾値を上回る場合、前記リスナによって聞き取られる前記周囲のオーディオサウンドの存在をキャンセルするように調整されている応答である、項目２に記載のパーソナルオーディオデバイス。
（項目４）
前記適合的フィルタの応答の適合的制御は、調節可能な変化率で該適合的フィルタの応答を前記所定の応答に戻すリーク（ｌｅａｋａｇｅ）特性を有し、前記処理回路は、前記結合の程度が前記高いほうの閾値を上回ることを決定することに応答して、該調節可能な変化率を増大させる、項目２に記載のパーソナルオーディオデバイス。
（項目５）
前記処理回路は、前記結合の程度が低いほうの閾値を下回ることを決定することに応答して、前記アンチノイズ信号をミュートする、項目１に記載のパーソナルオーディオデバイス。
（項目６）
前記処理回路は、前記結合の程度が前記低いほうの閾値を下回ることを決定することに応答して、前記適合的フィルタの応答の適合を停止する、項目５に記載のパーソナルオーディオデバイス。
（項目７）
前記処理回路は、前記結合の程度が高いほうの閾値を上回ることを決定することに応答して、前記適合的フィルタの応答を所定の応答に強制的に移すことによって、該適合的フィルタの応答を変更する、項目５に記載のパーソナルオーディオデバイス。
（項目８）
前記適合的フィルタの応答の適合的制御は、調節可能な変化率で該適合的フィルタの応答を前記所定の応答に戻すリーク特性を有し、前記処理回路は、前記結合の程度が前記高いほうの閾値を上回ることを決定することに応答して、該調節可能な変化率を増大させる、項目７に記載のパーソナルオーディオデバイス。
（項目９）
前記処理回路は、前記ソースオーディオを成形する二次経路推定応答を有する二次経路適合的フィルタと、コンバイナとを実装し、該コンバイナは、前記リスナに送達される組み合わされたアンチノイズと周囲のオーディオサウンドとを示すエラー信号を提供するために、前記エラーマイクロフォン信号から該ソースオーディオを除去し、該処理回路は、該エラー信号を最小化するように前記適合的フィルタの応答を適合させ、該処理は、該二次経路推定応答の変化から前記結合の程度の変化を決定する、項目１に記載のパーソナルオーディオデバイス。
（項目１０）
前記処理回路は、前記二次経路適合的フィルタの前記二次経路応答のピーク値の逆数によって重みが加えられた前記エラー信号の大きさから前記トランスデューサと前記リスナの耳との間の前記結合の程度を決定し、該二次経路適合的フィルタの該二次経路応答の該ピーク値の逆数によって重みが加えられた該エラー信号の大きさの減少は、該トランスデューサと該リスナの耳との間の結合のより大きな程度を指示する、項目９に記載のパーソナルオーディオデバイス。
（項目１１）
前記処理回路は、前記二次経路適合的フィルタの前記二次経路応答のピーク値の指示を閾値と比較することによって、前記トランスデューサと前記リスナの耳との間の前記結合の程度を決定し、該二次経路適合的フィルタの該二次経路応答の該ピーク値の増大は、該トランスデューサと該リスナの耳との間の結合のより大きな程度を指示する、項目９に記載のパーソナルオーディオデバイス。
（項目１２）
パーソナルオーディオデバイスのトランスデューサの近くにおける周囲のオーディオサウンドをキャンセルする方法であって、該方法は、
基準マイクロフォンを用いて該周囲のオーディオサウンドの第１の測定を行うことと、
エラーマイクロフォンを用いて該トランスデューサの出力の第２の測定を行うことと、
該基準マイクロフォンの出力をフィルタリングする適合的フィルタの応答を適合させることにより、該トランスデューサの音響出力における該周囲のオーディオサウンドの影響を打ち消すために、該第１の測定の結果からアンチノイズ信号を適合的に生成することと、
該アンチノイズ信号をソースオーディオ信号と組み合わせることにより、該トランスデューサに提供されるオーディオ信号を生成することと、
該トランスデューサとリスナの耳との間の結合の程度を決定することと、
該トランスデューサと該リスナの耳との間の該結合の程度に従って該適合的フィルタの応答を変更することと、
該アンチノイズ信号をソースオーディオ信号と組み合わせることと、
該音響出力を生成するために、該組み合わせの結果を該トランスデューサに提供することと
を含む、方法。
（項目１３）
前記変更することは、前記結合の程度が高いほうの閾値を上回ることを決定することに応答して、前記適合的フィルタの応答を所定の応答に強制的に移すことによって、前記適合的フィルタの応答を変更する、項目１２に記載の方法。
（項目１４）
前記所定の応答は、前記結合の程度が高いほうの閾値を上回ることを決定することに応答して、前記リスナによって聞き取られる前記周囲のオーディオサウンドの存在をキャンセルするように調整されている応答である、項目１３に記載の方法。
（項目１５）
前記適合的フィルタの応答の適合的制御は、調節可能な変化率で該適合的フィルタの応答を所定の応答に戻すリーク特性を有し、前記変更することは、前記結合の程度が低いほうの閾値を下回ることを決定することに応答して、該調節可能な変化率を増大させる、項目１３に記載の方法。
（項目１６）
前記結合の程度が低いほうの閾値を下回ることを決定することに応答して、前記アンチノイズ信号をミュートすることをさらに含む、項目１２に記載の方法。
（項目１７）
前記変更することは、前記結合の程度が前記低いほうの閾値を下回ることを決定することに応答して、前記適合的フィルタの応答の適合を停止する、項目１６に記載の方法。
（項目１８）
前記変更することは、前記結合の程度が高いほうの閾値を上回ることを決定することに応答して、前記適合的フィルタの応答を所定の応答に強制的に移すことによって、該適合的フィルタの応答を変更する、項目１６に記載の方法。
（項目１９）
前記適合的フィルタの応答の適合的制御は、調節可能な変化率で該適合的フィルタの応答を所定の応答に戻すリーク特性を有し、前記変更することは、前記結合の程度が前記低いほうの閾値を下回ることを決定することに応答して、該調節可能な変化率を増大させる、項目１８に記載の方法。
（項目２０）
二次経路推定応答を有する二次経路適合的フィルタを用いて前記ソースオーディオを成形することと、
前記リスナに送達される組み合わされたアンチノイズと周囲のオーディオサウンドとを示すエラー信号を提供するために、前記エラーマイクロフォン信号から該ソースオーディオを除去することと
をさらに含み、前記適合的に生成することは、該エラー信号を最小化するように前記適合的フィルタの応答を適合させ、前記決定することは、該二次経路推定応答の変化から前記結合の程度の変化を決定する、項目１２に記載の方法。
（項目２１）
前記決定することは、前記二次経路適合的フィルタの前記二次経路応答のピーク値の逆数によって重みが加えられた前記エラー信号の大きさから前記トランスデューサと前記リスナの耳との間の前記結合の程度を決定し、該二次経路適合的フィルタの該二次経路応答の該ピーク値の逆数によって重みが加えられた該エラー信号の大きさの減少は、該トランスデューサと該リスナの耳との間の結合のより大きな程度を指示する、項目２０に記載の方法。
（項目２２）
前記決定することは、前記二次経路適合的フィルタの前記二次経路応答のピーク値の指示から前記トランスデューサと前記リスナの耳との間の前記結合の程度を決定し、該二次経路適合的フィルタの該二次経路応答の該ピーク値の増大は、該トランスデューサと該リスナの耳との間の結合のより大きな程度を指示する、項目２０に記載の方法。
（項目２３）
パーソナルオーディオデバイスの少なくとも一部分を実装するための集積回路であって、該集積回路は、
リスナへの再生のためのソースオーディオと、トランスデューサの音響出力における周囲のオーディオサウンドの影響を打ち消すためのアンチノイズ信号との両方を含む信号を該トランスデューサに提供するための出力部と、
該周囲のオーディオサウンドを示す基準マイクロフォン信号を受信するための基準マイクロフォン入力部と、
該トランスデューサの出力を示すエラーマイクロフォン信号を受信するためのエラーマイクロフォン入力部と、
応答を有する適合的フィルタを実装する処理回路であって、該応答は、該リスナによって聞き取られる周囲のオーディオサウンドの存在を低減するためにアンチノイズ信号を成形する、処理回路と
を備え、該処理回路は、該トランスデューサと該リスナの耳との間の結合の程度を決定し、該トランスデューサと該リスナの耳との間の該結合の程度に従って該適合的フィルタの応答を変更する、集積回路。
（項目２４）
前記処理回路は、前記結合の程度が高いほうの閾値を上回ることを決定することに応答して、前記適合的フィルタの応答を所定の応答に強制的に移すことによって、該適合的フィルタの応答を変更する、項目２３に記載の集積回路。
（項目２５）
前記所定の応答は、前記結合の程度が前記高いほうの閾値を上回ることを決定することに応答して、前記リスナによって聞き取られる周囲のオーディオサウンドの存在をキャンセルするように調整されている応答である、項目２４に記載の集積回路。
（項目２６）
前記適合的フィルタの応答の適合的制御は、調節可能な変化率で該適合的フィルタの応答を所定の応答に戻すリーク特性を有し、前記処理回路は、前記結合の程度が前記高いほうの閾値を上回ることを決定することに応答して、該調節可能な変化率を増大させる、項目２４に記載の集積回路。
（項目２７）
前記処理回路は、前記結合の程度が低いほうの閾値を下回ることを決定することに応答して、前記アンチノイズ信号をミュートする、項目２６に記載の集積回路。
（項目２８）
前記処理回路は、前記結合の程度が前記低いほうの閾値を下回ることを決定することに応答して、前記適合的フィルタの応答の適合を停止する、項目２７に記載の集積回路。
（項目２９）
前記処理回路は、前記結合の程度が高いほうの閾値を上回ることを決定することに応答して、前記適合的フィルタの応答を所定の応答に強制的に移すことによって、該適合的フィルタの応答を変更する、項目２７に記載の集積回路。
（項目３０）
前記適合的フィルタの応答の適合的制御は、調節可能な変化率で該適合的フィルタの応答を前記所定の応答に戻すリーク特性を有し、前記処理回路は、前記結合の程度が前記高いほうの閾値を上回ることを決定することに応答して、該調節可能な変化率を増大させる、項目２９に記載の集積回路。
（項目３１）
前記処理回路は、前記ソースオーディオを成形する二次経路推定応答を有する二次経路適合的フィルタと、コンバイナとを実装し、該コンバイナは、前記リスナに送達される組み合わされたアンチノイズと周囲のオーディオサウンドとを示すエラー信号を提供するために、前記エラーマイクロフォン信号から該ソースオーディオを除去し、該処理回路は、該エラー信号を最小化するように前記適合的フィルタの応答を適合させ、該処理は、該二次経路推定応答の変化から前記結合の程度の変化を決定する、項目２３に記載の集積回路。
（項目３２）
前記処理回路は、前記二次経路適合的フィルタの前記二次経路応答のピーク値の逆数によって重みが加えられた前記エラー信号の大きさから前記トランスデューサと前記リスナの耳との間の前記結合の程度を決定し、該二次経路適合的フィルタの該二次経路応答の該ピーク値の逆数によって重みが加えられた該エラー信号の大きさの減少は、該トランスデューサと該リスナの耳との間の結合のより大きな程度を指示する、項目３１に記載のパーソナルオーディオデバイス。
（項目３３）
前記処理回路は、前記二次経路適合的フィルタの前記二次経路応答のピーク値の指示を閾値と比較することによって、前記トランスデューサと前記リスナの耳との間の前記結合の程度を決定し、該二次経路適合的フィルタの該二次経路応答の該ピーク値の増大は、該トランスデューサと該リスナの耳との間の結合のより大きな程度を指示する、項目３１に記載の集積回路。